(57)【要約】  少なくとも１本の医療用針（１．２）を取り付けるように適合されたニードル・ハブ（１．１）を含むニードル・アセンブリ（１）について説明する。本発明によれば、ニードル・ハブ（１．１）は、医療用針（１．２）を非確動的なロック方法および／または確動的なロック方法で保持位置に取り付けるように適合された、医療用針（１．２）を取り替え可能に保持する解放可能な締付け要素（１．３）として設計される。
2014534881.tif 000002
【特許請求の範囲】
【請求項１】
少なくとも１本の医療用針（１．２）を取り付けるように適合されたニードル・ハブ（１．１）を含むニードル・アセンブリ（１）であって、
該ニードル・ハブ（１．１）は、該医療用針（１．２）を非確動的なロック方法および／または確動的なロック方法で保持位置に取り付けるように適合された、該医療用針（１．２）を取り替え可能に保持する解放可能な締付け要素（１．３）として設計されていることを特徴とする、上記ニードル・アセンブリ（１）。
【請求項２】
締付け要素（１．３）は、取り外し可能に連結可能な少なくとも２つの対向した締め具（１．３．１、１．３．２）を含むことを特徴とする、
請求項１に記載のニードル・アセンブリ（１）。
【請求項３】
締付け要素（１．３）は、その上を締付けリング（１．３．４）が軸方向に可動である少なくとも２つの対向した締め具（１．３．１、１．３．２）を含むことを特徴とする、請求項１に記載のニードル・アセンブリ（１）。
【請求項４】
締付け要素（１．３）は、締め具（１．３．１、１．３．２）が互いに当接したときに医療用針（１．２）をロックし、締付け要素（１．３）は、締め具（１．３．１、１．３．２）が互いに離れる方向に動かされてそれにより互いに離間されたときに、医療用針（１．２）を解放することを特徴とする、
請求項２または３に記載のニードル・アセンブリ（１）。
【請求項５】
締め具（１．３．１、１．３．２）はそれぞれ、半円形の基礎上にノッチ（１．３．１．１、１．３．２．１）が配置された半円形状を有し、それにより、ノッチ（１．３．１．１、１．３．２．１）は、締め具（１．３．１、１．３．２）が互いに当接したときにその中に医療針（１．２）が保持される開口部を形成することを特徴とする、
請求項２〜４のいずれか１項に記載のニードル・アセンブリ（１）。
【請求項６】
開口部のサイズは、医療用針（１．２）の幅に対応することを特徴とする、
請求項５に記載のニードル・アセンブリ（１）。
【請求項７】
開口部のサイズおよび／または形状は、医療用針（１．２）に装着された支持体（１．２．３）に対応することを特徴とする、
請求項５に記載のニードル・アセンブリ（１）。
【請求項８】
締付け要素（１．３）の一端は、締め具（１．３．１、１．３．２）が互いに当接したときに、その上を締付けリング（１．３．４）が軸方向に可動であるソケット（１．３．３）を形成するように適合されていることを特徴とする、
請求項２〜７のいずれか１項に記載のニードル・アセンブリ（１）。
【請求項９】
ソケット（１．３．３）は円錐形状を有することを特徴とする、
請求項８に記載のニードル・アセンブリ（１）。
【請求項１０】
圧縮ばねとして配置されたばね要素（１．３．５）を特徴とする、
請求項１〜９のいずれか１項に記載のニードル・アセンブリ（１）。
【請求項１１】
ばね要素（１．３．５）が伸長すると、締付けリング（１．３．４）は、締付け要素（１．３）のソケット（１．３．３）に向かって遠位方向（Ｄ）に並進運動し、それにより、締め具（１．３．１、１．３．２）は、互いの方向に動かされて、締付けリング（１．３．４）がソケット（１．３．３）に係合すると、該締め具（１．３．１、１．３．２）は互いに係合されることを特徴とする、
請求項１０に記載のニードル・アセンブリ（１）。
【請求項１２】
締付けリング（１．３．４）をソケット（１．３．３）から離れるように近位方向（Ｐ）に並進運動させるために、案内要素（１．３．４．１）が設けられ、それにより、締め具（１．３．１、１．３．２）は互いに離れるように動かされることを特徴とする、
請求項１〜１１のいずれか１項に記載のニードル・アセンブリ（１）。
【請求項１３】
医療用針（１．２）は、ステンレス鋼から作られることを特徴とする、請求項１〜１２のいずれか１項に記載のニードル・アセンブリ（１）。
【請求項１４】
少なくとも１本の取り替え可能な医療用針（１．２）とともに使用するための薬物送達デバイス（２）であって、
薬剤を収容しかつハウジング（２．２）内に配置された筒（２．１）と、
該ハウジング（２．２）内に配置された、請求項１〜１１のいずれか１項に記載のニードル・アセンブリ（１）と
を含む、上記薬物送達デバイス（２）。
【請求項１５】
ハウジング（２．２）は、その遠位端に、ニードル・アセンブリ（１）の寸法、サイズ、および形状に対応した空洞を含み、かつ、その遠位基礎部材に、針（１．２）が貫通して突出する開口部を含むことを特徴とする、
請求項１４に記載の薬物送達デバイス（２）。
【請求項１６】
請求項１〜１３のいずれか１項に記載のニードル・アセンブリ（１）に、または請求項１４または１５に記載の薬物送達デバイス（２）に装着されるように適合された、ニードル・ディスペンサ（３）。
【請求項１７】
鎖状に配置されかつ弾性要素（４）によって連結された複数の医療用（１．２）を特徴とする、
請求項１６に記載のニードル・ディスペンサ（３）。
【発明の詳細な説明】
【技術分野】
【０００１】
本発明は、ニードル・アセンブリ、薬物送達デバイス、およびニードル・ディスペンサに関する。
【背景技術】
【０００２】
医療用針および薬物送達デバイスは、医療用針を薬物送達デバイスに取り付けるように適合された、対応するねじ山などの対応する取り付け手段を備えることが多い。さらに、医療用針は、別々にパッケージされるか、または、収納デバイス内に別々に収納される。
【発明の概要】
【発明が解決しようとする課題】
【０００３】
本発明の一目的は、改良されたニードル・アセンブリと、取り替え可能な複数の医療用針とともに使用されるのに適した改良された薬物送達デバイスとを提供することである。
【０００４】
本発明のさらなる目的は、未使用の医療用針を複数本保持するように設計された、改良されたニードル・ディスペンサを提供することである。
【課題を解決するための手段】
【０００５】
目的は、請求項１に記載のニードル・アセンブリによって、また、請求項１２に記載の薬物送達デバイスおよび請求項１４に記載のニードル・ディスペンサによって、達成される。
【０００６】
本発明の好ましい実施形態が、従属請求項に記載されている。
【０００７】
本発明によれば、ニードル・アセンブリが、少なくとも１本の医療用針を取り付けるように適合されたニードル・ハブを含む。例示的な一実施形態では、ニードル・ハブは、医療用針を非確動的なロック方法（ａ  ｎｏｎ−ｐｏｓｉｔｉｖｅ  ｌｏｃｋｉｎｇ  ｍａｎｎｅｒ）および／または確動的なロック方法（ａ  ｐｏｓｉｔｉｖｅ  ｌｏｃｋｉｎｇ  ｍａｎｎｅｒ）で保持位置に取り付けるように適合された、医療用針を取り替え可能に保持する解放可能な締付け要素として設計される。
【０００８】
本発明は、ニードル支持体なしで単一針を交換するための、注射デバイス内に解放可能に取り付け可能な小さくかつコンパクトなニードル・アセンブリを提供する。本発明によれば、支持体を持たない単一針は、注射デバイスに連結されうる。さらに、本発明は、外郭が装着されていない針だけでなく、外郭が装着された針にも使用することができる。単一針は、一般的な注射針よりもコストを節減し、また、占めるスペースをより小さくして、使用者が幾本かの針を持ち運べるようにする。
【０００９】
医療用針を取り替え可能に保持するための、ニードル・ハブのような解放可能な締付け要素を含むニードル・アセンブリは、ペン注射器などの薬物送達デバイスに単一医療用針を安全な方法で連結することを可能にする。
【００１０】
例示的な一実施形態では、締付け要素は、取り外し可能に連結可能な少なくとも２つの対向した締め具を含む。具体的には、２つの対向した締め具は、スナップ締結（ｓｎａｐ−ｆａｓｔｅｎｉｎｇ）の形で取り外し可能に連結されうる。
【００１１】
別の例示的な実施形態では、締付け要素は、その上を締付けリングが軸方向に可動である少なくとも２つの対向した締め具を含む。
【００１２】
例示的な一実施形態では、締め具が互いに当接すると、締付け要素は医療用針を固定またはロックし、締め具が互いに離れる方向に動かされてそれにより互いに離間されると、締付け要素は医療用針を解放する。
【００１３】
例示的な一実施形態では、締め具はそれぞれ、半円形の基礎上にノッチが配置された半円形状を有し、それにより、ノッチは、締め具が互いに当接したときにその中に医療用針が保持される開口部を形成する。
【００１４】
例示的な一実施形態では、開口部のサイズは、医療用針の幅に対応する。
【００１５】
例示的な一実施形態では、開口部のサイズおよび／または形状は、医療用針に装着された支持体および／またはプロファイルに対応する。
【００１６】
例示的な一実施形態では、締付け要素の一端は、締め具が互いに当接したときに、その上を締付けリングが軸方向に可動であるソケットを形成するように適合されている。
【００１７】
例示的な一実施形態では、ソケットは円錐形状を有する。
【００１８】
例示的な一実施形態では、ばね要素が、ソケット上の締付けリングの安全な伸張および固定を可能とするための圧縮ばねとして設計される。
【００１９】
例示的な一実施形態では、ばね要素が伸張すると、締付けリングは、締付け要素のソケットに向かって遠位方向に並進運動し、それにより、締め具は、互いの方向に動かされて、締付けリングがソケットに係合したときに、互いに係合される。
【００２０】
例示的な一実施形態では、締付けリングをソケットから離れるように近位方向に並進運動させるために、案内要素が設けられ、それにより、締め具は互いに離れるように動かされる。案内要素は、手動で操作するかまたは動かすことができ、また、より良好に把持するためのプロファイル面（ｐｒｏｆｉｌｅ  ｓｕｒｆａｃｅ）を含む。
【００２１】
例示的な一実施形態では、医療用針は、ステンレス鋼から作られる。
【００２２】
本発明によれば、少なくとも１本の取り替え可能な医療用針とともに使用するための薬物送達デバイスであって、
−  薬剤を収容しかつハウジング内に配置された筒と、
−  ハウジング内に配置され、かつ、少なくとも１本の医療用針を取り付けるように適合されたニードル・ハブを含む、ニードル・アセンブリと、を備え、
−  ここで、ニードル・ハブは、医療用針を非確動的なロック方法および／または確動的なロック方法で保持位置に取り付けるように適合された、医療用針を取り替え可能に保持する解放可能な締付け要素として設計されている、
薬物送達デバイスが提供される。
【００２３】
例示的な一実施形態では、ハウジングは、その遠位端に、ニードル・アセンブリの寸法、サイズ、および形状に対応した空洞を含み、かつ、その遠位基礎部材に、針が貫通して突出する開口部を含む。
【００２４】
本発明によれば、ニードル・アセンブリに、または薬物送達デバイスに装着されるように適合された、ニードル・ディスペンサが提供される。例示的な一実施形態では、複数の医療用針が、鎖状に配置されて、弾性要素によって連結される。単一針を連結しかつ保持する弾性要素は、支持体なしで単一針を分離保持するための非常にコンパクトな設計を可能とする。
【００２５】
本発明のさらなる適用範囲は、以下に記載された詳細な説明から明らかになるであろう。しかし、詳細な説明および具体例は、本発明の好ましい実施形態を示してはいるが、この詳細な説明から本発明の精神および範囲に含まれる様々な変更および修正が当業者には明らかになるので、例示のみを目的としたものであることを理解されたい。
【００２６】
本発明は、下記の詳細な説明および添付の図面からより完全に理解されるであろう。これらは例示のみを目的としたものであり、したがって本発明を限定するものではない。
【図面の簡単な説明】
【００２７】
【図１】医療用針が取り付けられたニードル・アセンブリを概略的に示す斜視図である。
【図２】図１に記載のニードル・アセンブリを概略的に示すさらなる斜視図である。
【図３】図１および図２に記載のニードル・アセンブリが取り付けられた薬物送達デバイスを概略的に示す断面図である。
【図４】鎖状に保持された複数の医療用針を含むニードル・ディスペンサを概略的に示す側面図である。
【発明を実施するための形態】
【００２８】
全ての図面において、対応する部材には同一の参照記号が付けられている。
【００２９】
図１および図２は、ニードル・ハブ１．１と医療用針１．２とを含むニードル・アセンブリ１を示しており、図３は、薬物送達デバイス２内に取り付けられたニードル・アセンブリ１を示している。
【００３０】
ニードル・アセンブリ１は、近位方向Ｐと遠位方向Ｄとに延びる長手軸Ａを含み、また、図３で分かるように、ニードル・アセンブリ１は、薬物送達デバイス２の中に遠位に取り付けられる。
【００３１】
ニードル・アセンブリ１は、例えば送達ペン（ｄｅｌｉｖｅｒｙ  ｐｅｎ）である薬物送達デバイス２との取り外しおよび取り付けが可能な、ペン・ニードル・アセンブリ（ｐｅｎ  ｎｅｅｄｌｅ  ａｓｓｓｅｍｂｌｙ）である。
【００３２】
医療用針１．２は、中空針、特にペン・ニードルであり、好ましくはステンレス鋼から作られる。医療用針１．２は、遠位尖端１．２．１と近位尖端１．２．２とを含む両頭針として設計される。近位尖端１．２．２は、薬剤または薬物を収容する筒２．１に挿入されるように適合され、筒２．１は、医療用針１．２との流体連通を確立するために、薬物送達デバイス２内に保持される。流体連通は、ニードル・アセンブリ１により医療用針１．２が薬物送達デバイス２に連結された時点で確立される。
【００３３】
ニードル・ハブ１．１は、医療用針１．２を非確動的なロック方法および／または確動的なロック方法で取り替え可能に保持する、解放可能な締付け要素１．３として設計される。
【００３４】
したがって、締付け要素１．３は、間に医療用針１．２が取り替え可能に配置される、２つの対向した締め具１．３．１、１．３．２を含む。
【００３５】
示された実施形態では、各締め具１．３．１、１．３．２はそれぞれ、半円形の基礎上にノッチ１．３．１．１、１．３．２．１が配置された半円形状を有する。図１および図２に示されているように、ノッチ１．３．１．１、１．３．２．１は、医療用針１．２の幅に対応したサイズを持つ開口部を形成し、それにより、締め具１．３．１、１．３．２が互いに当接したときには、医療用針１．２は、開口部内に配置されて固定されている。医療用針１．２は、開口部の後側に突出することが可能とされる長さを有する。
【００３６】
さらに、ノッチ１．３．１．１、１．３．２．１は、医療用針１．２をニードル・ハブ１．１内により良好に保持するために、医療用針１．２の外側プロファイルもしくは支持体１．２．３に対応したサイズおよび／または形状を持つ開口部を部分的に形成するような形で形成される（図３参照）。これは、外側プロファイルおよび／または支持体１．２．３が装着された医療用針１．２に有用である。
【００３７】
例示的な一実施形態では、締付け要素１．３は、取り外し可能に連結可能な少なくとも２つの締め具１．３．１、１．３．２を含む。具体的には、締め具１．３．１、１．３．２は、スナップ締結（図示せず）により互いに解放可能に連結されうる。
【００３８】
別の例示的な実施形態では、図示されているように、締付け要素１．３は、その上で締付けリング１．３．４が軸方向に可動である対向した締め具１．３．１、１．３．２を少なくとも含む。締付け要素１．３の遠位端は、締め具１．３．１、１．３．２が互いに当接したときに、言い換えると、締め具が閉じられたときに、その上を締付けリング１．３．４が締め具１．３．１、１．３．２を合わせて解放可能に固定するように軸方向に可動であるソケット１．３．３を、その遠位端に形成するように適合される。本実施形態では、ソケット１．３．３は円錐形状を有する。
【００３９】
締付けリング１．３．４は、ばね要素１．３．５の軸方向の力によって軸方向に可動であり、このばね要素１．３．５は、遠位方向Ｄでは締付けリング１．３．４を、また近位方向Ｐではハウジング２．２内に配置された当接面２．３を圧迫する。
【００４０】
可能な一実施形態では、ばね要素１．３．５は、ニードル・アセンブリ１の一部、特には締付けリング１．３．４の一部とされうる。この場合、ばね要素１．３．５および締付けリング１．３．４は、１つの固形部品、例えば１つの成形部品であり、特にはポリプロピレンから作られた射出成形部品である。
【００４１】
あるいは、ばね要素１．３．５は、独立した部品であって、金属から作られた圧縮ばねとして配置される。
【００４２】
ばね要素１．３．５は、図４に示されているニードル・ディスペンサ３から未使用の医療用針１．２を取り付けるために、針１．２が取り付けられたニードル・アセンブリ１が薬物送達デバイス２に連結されたときに、圧縮（付勢）される。
【００４３】
図１から図３では、ばね要素１．３．５は、伸長した、すなわち応力を受けていない状態で示されており、締付けリング１．３．４は円錐形のソケット１．３．３を包囲している。図３に示されるように、ニードル・アセンブリ１が薬物送達デバイス２のハウジング２．２内に取り付けられている場合、ばね要素１．３．５は通常伸長した状態にあり、締め具１．３．１、１．３．２は、同封の締付けリング１．３．４によって閉じられる。
【００４４】
医療用針１．２は、取り替え可能である。これは、薬物送達デバイス２の使用前に、ニードル・ディスペンサ３または別のニードル収納デバイスまたはニードル・マガジンから、未使用の医療用針１．２を装填または挿入できることを意味している。薬物送達デバイス２の使用後、例えば注射が行われた後で、締め具１．３．１および１．３．２を開くことにより、使用済みの医療用針１．２をニードル処分デバイス内に処分することができる。
【００４５】
締付けリング１．３．４は、ニードル・アセンブリ１への未使用の針１．２の挿入、および使用後の使用済みの針１．２の取り外しのために、ハウジング２．２の壁を通して案内要素１．３．４．１に連結される。
【００４６】
案内要素１．３．４．１は、矢印Ｆ１で示されるように、近位方向Ｐにも遠位方向Ｄにも可動である。ハウジング２．２は、２つのエンド・ストップ間で案内要素１．３．４．１を案内するためのスロット（図示せず）を含むことが好ましい。案内要素１．３．４．１が遠位方向Ｄにおいてエンド・ストップに係合すると、締め具１．３．１および１．３．２は、係合した締付けリング１．３．４によって閉じられる。案内要素１．３．４．１が近位方向Ｐにおいてエンド・ストップに係合すると、ばね要素１．３．５は付勢され、また、締付けリング１．３．４はソケット１．３．３から取り外され、したがって締め具１．３．１および１．３．２は開かれる。
【００４７】
案内要素１．３．４．１を近位方向Ｐに動かすことにより、締付けリング１．３．４が案内要素１．３．４．１と一緒に動く。したがって、締め具１．３．１、１．３．２は互いに離間され、言い換えれば、締め具１．３．１、１．３．２は、使用済みの医療用針１．２を例えばニードル処分デバイス内に落とすことができるように、開かれる。
【００４８】
その後で、薬物送達デバイス２が例えば図４に示されたニードル・ディスペンサ３まで移動されて、未使用の医療用針１．２に位置合わせされると、この新しい針は、スナップ・フィット連結によりニードル・ハブ１．１に、特に締付け要素１．３に挿入され、したがってその近位尖端１．２．２でもって筒２．１に挿入されうる。
【００４９】
案内要素１．３．４．１を近位方向Ｐに押すかまたは動かすことにより薬物送達デバイス２が未使用の医療用針１．２を受けるときには、ばね要素１．３．５は圧縮され、締め具１．３．１、１．３．２は開かれ、医療用針１．２の近位尖端１．２．２は筒２．１に挿入される。
【００５０】
２つの締め具１．３．１、１．３．２の間に針１．２が位置決めされた後、案内要素１．３．４．１は遠位方向Ｄに戻って行き、ここで、ばね要素１．３．５は、わずかに伸長されて、したがってソケット１．３．３が締付けリング１．３．４によって包囲されるまで、締付けリング１．３．４をソケット１．３．３に向かって遠位方向Ｄに並進運動させる。この並進運動により、すでに互いに離間されていた締め具１．３．１、１．３．２は、ソケット１．３．４の外周に対応した締付けリング１．３．４の内周のために、互いの方向に動かされて、そのとき締め具１．３．１、１．３．２は閉じられる。ここで、未使用の医療用針１．２は、締付け要素１．３によりニードル・アセンブリ１内に、したがって薬物送達デバイス２内にロックされる。
【００５１】
特に使用後に、医療用針１．２を薬物送達デバイス２からロック解除するためには、案内要素１．３．４．１が締付けリング１．３．４と一緒に動かされ、ここで、案内要素１．３．４．１は、ハウジング２．２の外面に沿って、また、締付けリング１．３．４は、ハウジング２．２の内面および円錐形のソケット１．３．３の外面に沿って、矢印Ｆ１に従って近位方向Ｐへと動く。
【００５２】
締付けリング１．３．４が近位方向Ｐへと動くことにより、ばね要素１．３．５が緊張し、それにより締め具１．３．１、１．３．２が開き、その結果、医療用針１．２は解放されて、薬物送達デバイス２から抜け落ちる。医療用針１．２は、薬物送達デバイス２から抜け落ちたときにニードル処分デバイスに受け入れられることが好ましい。
【００５３】
示されていない代替的な一実施形態では、薬物送達デバイス２の遠位端は、薬物送達デバイス２が例えばニードル収納デバイスに押しつけられたときに締付けリング１．３．４を近位方向Ｐに動かすように適合されうる。そのような実施形態では、案内要素１．３．４．１はもはや必要とされない。
【００５４】
さらなる実施形態では、新しい未使用の医療用針１．２が、図４に示されているニードル・ディスペンサ３によって供給されうる。
【００５５】
図４は、ニードル・ディスペンサ３の可能な一実施形態を示しており、このニードル・ディスペンサ３は、鎖状に配置されかつ弾性バンドとして設計された弾性要素４によって連結された、複数の医療用針１．２を含む。
【００５６】
医療用針１．２は、好ましくはステンレス鋼から作られる。医療用針１．２は、遠位尖端１．２．１および近位尖端１．２．２を含む両頭針である。
【００５７】
医療用針１．２は、弾性要素４によって連結される。弾性要素４は、オーバーモールド製法によりバンドとして形成され、また、例えば加硫ゴムといったゴム、または例えば熱可塑性エラストマ（ＴＰＥ）といった弾性ポリマーから作られる。したがって、針１．２は、射出成形プロセス中に、例えば加硫ゴムでオーバーモールドされる。弾性要素４の加硫ゴムの弾性特性のため、ニードル・ディスペンサ３は可撓性を持つ。
【００５８】
弾性要素４は、医療用針１．２上に中心に配置され、かつ、上述の薬物送達デバイス２のニードル・アセンブリ１により医療用針１．２の端部１．２．１または１．２．２のうちの一方をカチッと留めて固定させることができるほどの長さに医療用針１．２の端部１．２．１、１．２．２が突出するような寸法、例えば高さを有する
【００５９】
可能な一実施形態では、ニードル・ディスペンサ３は、ニードル収納デバイスまたはニードル・マガジンのチャンバに収納されうる。したがって、Ａ型ニードル・パッケージ（Ｔｙｐｅ  Ａ  ｎｅｅｄｌｅ  ｐａｃｋａｇｅ）のような独立したニードル・パッケージが避けられる。
【００６０】
柔軟に連結された複数の医療用針１．２を含む、そのようなパッケージされたニードル・ディスペンサ３は、新しい未使用の医療用針１．２を薬物送達デバイス２に挿入するために、上述のニードル・アセンブリ１とともに使用することができる。
【００６１】
薬物送達デバイス２の使用者が新しい未使用の医療用針１．２を必要とするときには、使用者は、針１．２が締付け要素１．３に位置合わせされるようにして、薬物送達デバイス２をニードル・ディスペンサ３内に取り付けられた針１．２のうちの１本に取り付けるかまたは押しつける。あるいは、使用者は、針１．２のうちの１本を含むニードル・ディスペンサ３を、薬物送達デバイス２に押しつけるかまたは取り付ける。その締め具１．３．１、１．３．２が開かれている締付け要素１．３が、ニードル・ディスペンサ３内の針１．２のうちの１本に位置合わせされると、締め具１．３．１、１．３．２は閉じられる。固定された新しい針１．２を持つ薬物送達デバイス２がニードル・ディスペンサ３から取り外されるときに、弾性要素４は、軸方向の力により、鎖内の２本の針１．２の間の、その最も薄い箇所４．１で裂ける。したがって、針１．２は、ニードル・ディスペンサ３から解放され、ここで、弾性要素４の一部分はさらに、支持体１．２．３（図３参照）として針１．２の中央に装着されうる。
【００６２】
別法として、または追加として、使用者は、薬物送達デバイス２またはニードル・ディスペンサ３をわずかに回転させることにより、ニードル・ディスペンサ３からの新しい針１．２の取り外しを支持することができる。
【００６３】
注射時には、使用者は、針１．２が取り付けられた薬物送達デバイス２を注射部位に押しつける。針１．２の近位端１．２．１は、注射部位に刺し込まれる。針１．２が例えばニードル・シールドによりさらに覆われている場合には、針１．２を突出させるために、最初にシールドを後方に動かすことができる。注射が行われた後、薬物送達デバイス２は注射部位から取り外される。薬物送達デバイス２は、針１．２を戻すように、また、針１．２を覆うように、また、上述のように針１．２を取り替えるように、構成されうる。
【００６４】
本発明は、ペン注射器などの薬物送達デバイス２に単一医療用針１．２を安全な方法で連結するのに適している。単一医療用針１．２は、通常、一般的な注射針よりも製造コストが安いので、本発明は有益である。
【図１】
2014534881.tif 000003
【図２】
2014534881.tif 000004
【図３】
2014534881.tif 000005
【図４】
2014534881.tif 000006
【国際調査報告】
2014534881.tif 000007
2014534881.tif 000008